【手続補正書】
【提出日】平成25年9月12日(2013.9.12)
【手続補正１】
【補正対象書類名】明細書
【補正対象項目名】発明の名称
【補正方法】変更
【補正の内容】
【発明の名称】オーダエントリシステム、オーダ入力端末及びプログラム
【手続補正２】
【補正対象書類名】明細書
【補正対象項目名】０００１
【補正方法】変更
【補正の内容】
【０００１】
本発明は、オーダエントリシステム、オーダ入力端末及びプログラムに関する。
【手続補正３】
【補正対象書類名】明細書
【補正対象項目名】０００９
【補正方法】変更
【補正の内容】
【０００９】
本発明の課題は、客自身が容易に注文を入力することができるようにすることである。
【手続補正４】
【補正対象書類名】明細書
【補正対象項目名】００１１
【補正方法】変更
【補正の内容】
【００１１】
請求項６に記載の発明は、オーダ入力端末であって、複数のメニューキーからなるキー入力部と、前記メニューキーに対応するメニュー項目を複数備えてなりそれぞれに識別情報の設定されたブックレットを着脱可能にする着脱部と、前記着脱部に装着されたブックレットより前記識別情報を取得する識別情報取得部と、前記キー入力部に備わるメニューキーのうちキー入力されたメニューキーを特定するキー特定部と、前記メニューキーと、前記メニューキーがキー入力された場合に当該メニューキーに対応するメニュー項目の注文を受付けるための処理内容と、を前記識別情報単位で対応付けたブックレットテーブルを記憶する記憶部と、前記着脱部にブックレットが装着され且つ前記キー入力部に備わるメニューキーがキー入力された際に、前記キー特定部により特定されるメニューキーと前記識別情報取得部により取得される識別情報とに基づいて、前記記憶部に記憶されたブックレットテーブルより、前記キー入力されたメニューキーに対応する処理内容を抽出し、抽出した処理内容に基づく処理を実行する制御部と、を備えることを特徴とする。
請求項７に記載の発明は、複数のメニューキーからなるキー入力部と、前記メニューキーに対応するメニュー項目を複数備えてなりそれぞれに識別情報の設定されたブックレットを着脱可能にする着脱部とを備えるオーダ入力端末のコンピュータを制御するためのプログラムであって、前記コンピュータを、前記着脱部に装着されたブックレットより前記識別情報を取得する識別情報取得部、前記キー入力部に備わるメニューキーのうちキー入力されたメニューキーを特定するキー特定部、前記メニューキーと、前記メニューキーがキー入力された場合に当該メニューキーに対応するメニュー項目の注文を受付けるための処理内容と、を前記識別情報単位で対応付けたブックレットテーブルを記憶部に記憶する記憶制御部、前記着脱部にブックレットが装着され且つ前記キー入力部に備わるメニューキーがキー入力された際に、前記キー特定部により特定されるメニューキーと前記識別情報取得部により取得される識別情報とに基づいて、前記記憶部に記憶されたブックレットテーブルより、前記キー入力されたメニューキーに対応する処理内容を抽出し、抽出した処理内容に基づく処理を実行する実行制御部、として機能させるようにしたコンピュータ読み取り可能なプログラムである。
【手続補正５】
【補正対象書類名】明細書
【補正対象項目名】００１２
【補正方法】変更
【補正の内容】
【００１２】
本発明によれば、客自身が容易に注文を入力することができる。
【手続補正６】
【補正対象書類名】特許請求の範囲
【補正対象項目名】全文
【補正方法】変更
【補正の内容】
【特許請求の範囲】
【請求項１】
ネットワークを介して相互に情報の送受信が可能なオーダ入力端末とサーバ装置とを含むオーダエントリシステムであって、
前記オーダ入力端末は、
複数のメニューキーからなるキー入力部と、
前記メニューキーに対応するメニュー項目を複数備えてなりそれぞれに識別情報の設定されたブックレットを着脱可能にする着脱部と、
前記着脱部に装着されたブックレットより前記識別情報を取得する識別情報取得部と、
前記キー入力部に備わるメニューキーのうちキー入力されたメニューキーを特定するキー特定部と、
前記着脱部にブックレットが装着され且つ前記キー入力部に備わるメニューキーがキー入力された際に、前記キー特定部により特定されるメニューキーと前記識別情報取得部により取得される識別情報とを入力情報として前記サーバ装置へ送信する入力情報送信部と、
を備え、
前記サーバ装置は、
前記メニューキーと、前記メニューキーがキー入力された場合に前記オーダ入力端末が当該メニューキーに対応するメニュー項目の注文を受付けるための処理内容と、を前記識別情報単位で対応付けたブックレットテーブルを記憶するサーバ記憶部と、
前記入力情報送信部により送信される入力情報に基づいて、前記サーバ記憶部に記憶されたブックレットテーブルより、前記キー特定部により特定されるメニューキーに対応する処理内容を抽出し、抽出した処理内容を処理内容情報として前記オーダ入力端末へ送信する処理内容情報送信部と、
を備え、
前記オーダ入力端末は、さらに、
前記処理内容情報送信部により送信された処理内容情報に基づく処理を実行する制御部と、
を備えることを特徴とするオーダエントリシステム。
【請求項２】
請求項１に記載のオーダエントリシステムにおいて、
前記オーダ入力端末は、
前記キー入力部は、メニュー項目が対応付けられていない新規のメニューキーを作成するための作成キーを有し、
前記作成キーがキー入力された場合、前記新規のメニューキーに対応付けるメニュー項目の一覧を表示する表示部と、
前記表示部により表示されるメニュー項目の一覧より一のメニュー項目をユーザに選択させる選択部と、
前記選択部により選択されたメニュー項目と、前記キー特定部により特定される前記新規のメニューキーと、前記識別情報取得部により取得される識別情報とを追加情報として前記サーバ装置へ送信する追加情報送信部と、
を備え、
前記サーバ装置は、
前記追加情報送信部により送信される追加情報を受信すると、前記新規のメニューキーと、前記新規のメニューキーがキー入力された場合に前記オーダ入力端末が前記選択されたメニュー項目の注文を受付けるための処理内容と、を前記取得される識別情報に応じて前記サーバ記憶部に記憶されたブックレットテーブルに追加するテーブル追加部と、
を備えることを特徴とするオーダエントリシステム。
【請求項３】
請求項１又は２に記載のオーダエントリシステムにおいて、
厨房に配置され、前記ネットワークを介して前記サーバ装置と接続されたモニタ装置を含み、
前記モニタ装置は、
前記オーダ入力端末で注文可能なメニュー項目を一覧表示する表示部を備え、
前記オーダ入力端末は、
前記着脱部に前記ブックレットが装着された際、前記識別情報取得部により前記ブックレットの識別情報を取得し、当該取得した識別情報を前記サーバ装置に送信する識別情報送信部を備え、
前記サーバ装置は、
前記サーバ記憶部に記憶された前記ブックレットテーブルより、前記識別情報送信部により送信された識別情報と一致する識別情報を有した処理内容を抽出し、前記表示部に一覧表示されるメニュー項目のうち、前記抽出した処理内容に係るメニュー項目を他のメニュー項目と異なる態様で前記表示部に強調表示させる表示制御部を備えることを特徴とするオーダエントリシステム。
【請求項４】
請求項３に記載のオーダエントリシステムにおいて、
前記表示制御部は、
前記抽出した処理内容に係るメニュー項目を、当該メニュー項目の種類に応じて分類し、分類した各々の種類のメニュー項目ごとに異なる態様で前記表示部に強調表示させることを特徴とするオーダエントリシステム。
【請求項５】
請求項１〜４の何れか１項に記載のオーダエントリシステムにおいて、
前記オーダ入力端末で注文を受付けたメニュー項目に対する会計処理を行う会計処理装置を含み、
前記ブックレットは、
前記識別情報を含む情報を記憶可能なブックレット記憶部を備え、
前記オーダ入力端末は、
前記ブックレットが着脱部に装着された後、前記キー入力部に備わるメニューキーがキー入力される都度、前記キー特定部で特定されるメニューキーを会計情報として記憶する会計情報記憶部と、
前記会計処理装置が会計処理を行う際、前記会計情報記憶部に記憶された会計情報を前記ブックレットのブックレット記憶部へ書込む書込み部と、
を備え、
前記会計処理装置は、
前記ブックレットのブックレット記憶部に記憶された会計情報と当該ブックレットに設定された識別情報とを読出す読出し部と、
会計処理を行う際、前記読出し部により読出した会計情報及び識別情報に基づいて、前記オーダ入力端末が前記識別情報の設定されたブックレットの装着された期間に受付けた注文に対する合計金額を算出する算出部と、
を備えることを特徴とするオーダエントリシステム。
【請求項６】
複数のメニューキーからなるキー入力部と、
前記メニューキーに対応するメニュー項目を複数備えてなりそれぞれに識別情報の設定されたブックレットを着脱可能にする着脱部と、
前記着脱部に装着されたブックレットより前記識別情報を取得する識別情報取得部と、
前記キー入力部に備わるメニューキーのうちキー入力されたメニューキーを特定するキー特定部と、
前記メニューキーと、前記メニューキーがキー入力された場合に当該メニューキーに対応するメニュー項目の注文を受付けるための処理内容と、を前記識別情報単位で対応付けたブックレットテーブルを記憶する記憶部と、
前記着脱部にブックレットが装着され且つ前記キー入力部に備わるメニューキーがキー入力された際に、前記キー特定部により特定されるメニューキーと前記識別情報取得部により取得される識別情報とに基づいて、前記記憶部に記憶されたブックレットテーブルより、前記キー入力されたメニューキーに対応する処理内容を抽出し、抽出した処理内容に基づく処理を実行する制御部と、
を備えることを特徴とするオーダ入力端末。
【請求項７】
複数のメニューキーからなるキー入力部と、前記メニューキーに対応するメニュー項目を複数備えてなりそれぞれに識別情報の設定されたブックレットを着脱可能にする着脱部とを備えるオーダ入力端末のコンピュータを制御するためのプログラムであって、
前記コンピュータを、
前記着脱部に装着されたブックレットより前記識別情報を取得する識別情報取得部、
前記キー入力部に備わるメニューキーのうちキー入力されたメニューキーを特定するキー特定部、
前記メニューキーと、前記メニューキーがキー入力された場合に当該メニューキーに対応するメニュー項目の注文を受付けるための処理内容と、を前記識別情報単位で対応付けたブックレットテーブルを記憶部に記憶する記憶制御部、
前記着脱部にブックレットが装着され且つ前記キー入力部に備わるメニューキーがキー入力された際に、前記キー特定部により特定されるメニューキーと前記識別情報取得部により取得される識別情報とに基づいて、前記記憶部に記憶されたブックレットテーブルより、前記キー入力されたメニューキーに対応する処理内容を抽出し、抽出した処理内容に基づく処理を実行する実行制御部、
として機能させるようにしたコンピュータ読み取り可能なプログラム。